(57)【要約】      （修正有）【課題】乗車ＩＣカードをタグリーダにかざして非接触で改札を通過しても通信エラーを発生させず、安定して通信できるループアンテナを提供する。【解決手段】乗車ＩＣカードの通信エリアを拡張するシート状のループアンテナであって、アンテナ１がＩＣカードとタグリーダとの共振周波数を調整する周波数調整部２を備え、ＩＣカードと電磁結合する。乗車ＩＣカード５と一緒にパスケース６に入れて使用することで、乗車ＩＣカードの通信エリアを広げる。【選択図】図５
0003226881.tif 000002
【実用新案登録請求の範囲】
【請求項１】
ＩＣカードと、該ＩＣカードの情報を読み取るタグリーダとの間の通信エリアを広げるアンテナであって、前記アンテナが、前記ＩＣカードと前記タグリーダとの共振周波数に共振するとともに、前記ＩＣカードと電磁結合された状態で使用される非金属性のシート状体であるループアンテナ。
【請求項２】
前記アンテナが、前記ＩＣカードと前記タグリーダとの共振周波数に調整する周波数調整部を備えている、請求項１に記載のループアンテナ。
【請求項３】
前記アンテナが、前記ＩＣカードと等しいか、それよりも若干大きいサイズに形成されている、請求項１又は２に記載のループアンテナ。
【請求項４】
前記アンテナが、前記ＩＣカードを収納するパスケース又は財布又はカードホルダーに組み込まれている、請求項１から３の何れか一項に記載のループアンテナ。
【請求項５】
前記アンテナが、折り畳み可能なシート内に、非接触で、かつ、電磁結合された状態で複数組配置されている、請求項１又は２に記載のループアンテナ。
【請求項６】
前記ＩＣカードが、ＨＦ帯で共振するＩＣカード、または、個人認証用のＩＤカードである、請求項１から４の何れか一項に記載のループアンテナ。
【考案の詳細な説明】
【技術分野】
【０００１】
本考案は、ＩＣタグで使用されるＨＦ帯の周波数で共振するアンテナを、乗車ＩＣカードを収納するパスケースに入れて、ＩＣカードの通信エリアを拡張するアンテナに関するものである。
【背景技術】
【０００２】
乗車ＩＣカードやＩＤカードは、利用者認証をするために使用され、これらのカードにはＨＦ帯のＩＣタグが組み込まれているのが通常である。
ＨＦ帯のＩＣタグが使用されるのは、個々のＩＣタグの情報を個々に取得するためであり、タグリーダに近接させて読み取らせるが、ＩＣタグがタグリーダの読み取り範囲から外れると通信エラーが発生する可能性が高まるため、タグリーダにＩＣタグを直接タッチして使用する人が多い。例えば、駅の改札のように歩きながら乗車ＩＣカードを読み取らせる場合、読み取り範囲から外れると、通信エラーが発生しやすいため、事業者側もタッチすることをＰＲしている。
エラーの発生リスクが減少すれば、タグリーダに直接タッチせずとも使用が可能であるが、ＨＦ帯のＩＣタグは、タグリーダに近接させて読み取るのが特徴であるため、読み取り範囲を広げる技術は一般にあまり普及していないのが現状である。
ＨＦ帯の読み取り範囲を広げる技術として、ＨＦ帯のＩＣタグの読み取り範囲を、床に敷設したマットのサイズまで広げる通信マットが提案されている（例えば、特許文献１）。この通信マットは、ＩＣタグの読み取り範囲をマットのサイズ、すなわち成人男性の足の大きさ程度まで広げることで、ＩＣタグを隙間なく敷き詰めることなく、ＩＣタグから必要な位置情報を漏れなく取得することが可能となる。
【先行技術文献】
【特許文献】
【０００３】
【特許文献１】特許第６２５５６１８号
【考案の概要】
【考案が解決しようとする課題】
【０００４】
このときに問題になるのが、この通信マットは、床面に敷き詰めて使うマットであるため、平面・矩形・板状の形状であり、また１辺の長さも足のサイズ程度あり、人が携帯したり、身に着けたりするには、サイズが大き過ぎることである。
本考案は、この問題を解消すべく開発したもので、人が携帯して使用するＩＣカードと一緒に携帯することができ、ＩＣカードの通信エリアを拡張することができるアンテナを提供することを課題とする。
【課題を解決するための手段】
【０００５】
本考案に係るループアンテナは、ＩＣカードと、該ＩＣカードの情報を読み取るタグリーダとの間の通信エリアを広げるアンテナであって、前記アンテナが、前記ＩＣカードと前記タグリーダとの共振周波数に共振するとともに、前記ＩＣカードと電磁結合された状態で使用される非金属性のシート状体であることを特徴とする。
ここでのＩＣカードは、乗車ＩＣカード、個人を認証するＩＤカード、プリペイドカード等のようにＩＣ回路が組み込まれたもの（以下、これらを総称してＩＣカードという。）、さらには、ＩＣカードの機能が携帯端末に組み込まれたものも含む概念である。
また、シート状体は、こうしたＩＣカードと重ねた状態で使用できるもの、例えばプラスチック製のカード内に埋め込まれたものや、合成樹脂、皮、布、紙などの、少なくとも電磁遮蔽を生じさせない非金属性の収納ケースやカードホルダー等に組み込まれたものである。
このループアンテナをシート状体とすることにより、同じくシート状体のＩＣカードと重ねて使用することが可能となり、しかも、ＩＣカードのループアンテナと、本考案に係るループアンテナとを平行に配置させて、両者を電磁結合させることができる。これにより、ＩＣカードの通信エリアを広げることができる。
また、ループアンテナを薄いシート状体とすることで、ＩＣカードと重ねた状態で財布に収納したり、カードホルダーに収納して首に掛けたりすることができる。
この場合の重ねた状態とは、ＩＣカードとシート状体のループアンテナが密接していても、密接していなくてもよく、両者が電磁誘導可能な範囲であればよい。
【０００６】
本考案に係るループアンテナは、前記ＩＣカードと前記タグリーダとの共振周波数に調整する周波数調整部を備えていることを特徴とする。
これにより、ＩＣカードやループアンテナのサイズや形状、また組み込まれているＨＦ帯のＩＣタグの種類が違う場合でも、周波数調整部を調整することにより、ループアンテナをＩＣカードの共振周波数で共振させることができる。したがって、シート状体の形状や大きさによって、そこに組み込まれるループアンテナサイズや形状が変化しても、ＩＣカードの共振周波数と共振させて、その通信エリアを広げることができる。
【０００７】
本考案に係るループアンテナは、前記ＩＣカードと等しいか、それよりも若干大きいサイズに形成されていることを特徴とする。
これにより、ループアンテナは、ＩＣカードを収納するケースの周縁部に組み込んで、ＩＣカードと一緒に携帯することが可能となる。したがって、アンテナを収納する専用のケースを用意せずとも、既存の収納ケース、例えばパスケースや財布、またはカードホルダー等に入れて使用することができる。
さらに、スマートフォン等に組み込まれたＩＣタグも、ＩＣカードと同様に使用可能であるため、スマートフォン用のケースに組み込んで使用することも可能である。
【０００８】
本考案に係るループアンテナは、前記ＩＣカードを収納するパスケース又は財布又はカードホルダーに組み込まれていることを特徴とする。
ＩＣカードの収納ケースサイズは、ＩＣカードより若干大きいサイズである。そのため、ループアンテナをＩＣカードの収納ケースの周縁部に組み込めば、ＩＣカードより少なくとも数ミリ程度大きいサイズのループアンテナを形成することが可能になる。これにより、ＩＣカード内に埋め込まれているＩＣタグのアンテナサイズよりも大きいサイズのループアンテナにすることができるから、それだけ通信エリアを広げることができる。
この場合のＩＣカードの収納ケースは、乗車ＩＣカードのパスケースや財布、又はＩＤカードを収納するカードホルダー、さらにはＩＣタグが組み込まれたスマートフォン等のスマートフォンケース等である。
ループアンテナをプラスチック製のカード内に埋め込む形式でも良いが、その場合は、ＩＣカードと重ねて使用しなければならないが、ＩＣカードの収納ケース自体に組み込んでおけば、例えば衣服のポケットに収納する場合でも、より容易に携帯することが可能になる。
【０００９】
本考案に係るループアンテナは、折り畳み可能なシート内に、非接触で、かつ、電磁結合された状態で複数組配置されていることを特徴とする。
これにより、例えばＩＣカードをバッグに入れて使用する場合は、バッグの内部にループアンテナを広げて設置すれば、ＩＣカードの通信エリアをバッグの外部まで広げることができるから、バッグを持ったままタグリーダにＩＣカードを読み取らせることができる。
また、使用しない場合は折り畳んだ状態でコンパクトに収納ができるため、常時携帯することが容易となる。
【００１０】
本考案に係るループアンテナと共振する前記ＩＣカードが、ＨＦ帯で共振するＩＣカード、または、個人認証用のＩＤカードであることを特徴とする。
【考案の効果】
【００１１】
本考案によれば、ＩＣカードの限られた通信エリアを、ループアンテナを介してループアンテナのサイズまで拡張することができるから、歩きながらＩＣカードをタグリーダに近接させるだけで、ＩＣカードをタグリーダに直接タッチせずとも、ＩＣカードがタグリーダの読み取り範囲から外れることによる通信エラーの発生を抑え、安定して通信することが可能になる。
【図面の簡単な説明】
【００１２】
【図１】本考案のループアンテナの構成図
【図２】ＩＣタグの通信エリアをループアンテナで拡張させる説明図
【図３】カードサイズのループアンテナにＩＣカードを重ねてＩＣカードの通信エリアを拡大させる一例
【図４】ループアンテナの一実施例
【図５】ＩＣカードの入ったパスケースにループアンテナを入れて使用する場合の一実施例
【図６】ＩＤカードの入ったカードホルダーにループアンテナを入れて使用する場合の一実施例
【図７】ループアンテナをパスケースの周縁部に組み込んだ一実施例
【図８】ループアンテナをＩＤカードのカードホルダー周縁部に組み込んだ一実施例
【図９】ループアンテナをカードホルダーと、そのホルダーのストラップとに組み込んだ一実施例
【図１０】自動改札機にＩＣカードを読み取らせる説明図
【図１１】入退室管理システムでの使用例を示す説明図
【図１２】パスケースにループアンテナを入れて使用する場合の動作説明図
【図１３】折り畳み式ループアンテナの展開状態と折り畳んだ状態の説明図
【図１４】折り畳み式ループアンテナをカバン内で広げて使用する場合の説明図
【図１５】折り畳み式ループアンテナをシート内に複数組、非接触かつ電磁結合された状態の説明図
【図１６】図１５の折り畳み式ループアンテナの使用状態の説明図
【考案を実施するための形態】
【００１３】
以下、本考案の実施の形態を図１〜図１６に基づいて説明する。
【００１４】
図1は、本考案のループアンテナの構成図を示し、図２（ａ）は、ＩＣタグ３の通信エリアをループアンテナ１によって拡張することを示す説明図である。これらの図において、ループアンテナ１は、図２（ａ）のＩＣタグ３のＨＦ帯の周波数で共振するアンテナとして構成されており、ＩＣタグ３と非接触な状態で電磁結合されることにより、ＩＣタグ３の通信エリアを例えば１２ｃｍから２５ｃｍ程度まで拡大させる一例である。
【００１５】
前記ループアンテナ１は、単線又はより線の電線、さらには、そのより線を螺旋状に巻いて伸縮可能とした伸縮電線をループ状にすることで構成され、その一部には、ＩＣカード５とタグリーダ４の共振周波数で共振させる周波数調整部２が設けられる。また、こうした電線に代えて、周波数調整部２を備えたプリント配線で構成してもかまわない。
【００１６】
周波数調整部２は、ループアンテナ１の共振周波数ｆを、ＩＣタグ３の読取可能な規定範囲内の周波数に調整（設定）するもので、例えば、トリマコンデンサなどの可変容量性素子や可変コイルなどの可変誘導性素子と、特定のキャパシタンスを有するコンデンサや特定のインダクダンスを有するインダクタ、並びにこれらを接続する回路により構成されている。
周知のように、ループアンテナ１の共振周波数ｆは、ループアンテナ１のインダクタンスＬとキャパシタンスＣとにより、下記式（１）のように表現される。
ｆ＝１／（２π√（ＬＣ））          （１）
ＨＦ帯のＩＣタグ３と共振するループアンテナ１として機能させるためには、ＩＣタグ３の読取可能な規定範囲内の周波数に共振周波数ｆを保つ必要がある。その場合の共振周波数は、例えばＨＦ帯のタグリーダ４が読み取り可能な、１３．５６ＭＨｚの上下０．４ＭＨｚ程度の範囲である。
上記式（１）から理解できるように、タグリーダ４の共振周波数ｆを規定範囲に保つためには、ループアンテナ１の長さやループの径等によって定まるインダクタンスＬの値と、ループアンテナ１の配線間容量等の寄生容量や共振周波数ｆの調整のためにループアンテナ１に組み込まれるコンデンサのキャパシタンスＣの値との積が、共振周波数ｆの規定範囲内となるように設定する必要がある。
【００１７】
図２（ａ）は、線状のループアンテナ１を使用した場合の、ＩＣタグ３の読み取り範囲を拡大させる一例である。具体的には、直径１８センチのループアンテナ１の中心に、４．５センチ角のＩＣタグ３を設置し、８０ｍＷ出力で直径１０センチ程度のアンテナを有するタグリーダ４で読み取る場合、ＩＣタグ３の読み取り範囲を、通常であれば１２センチほどの通信エリアから、２５センチほどの通信エリアまで拡大させることが可能である。
床に敷設して使用する１８センチ角のアンテナを埋め込んだ通信マットと比較した場合、読み取り精度が落ちる箇所が少なく、より高性能な読み取り精度を発揮することが可能である。
これは、線状のループアンテナ１は、マット状（平面）のアンテナ（基板）と比べ表面積が大きいためである。
線状のループアンテナ１は、外表面に加え、より線により、より線の各導線の表面積も大きくなるからである。
周知のとおり、ＨＦ帯の１３．５６ＭＨｚ周波数は比較的高周波であり、高周波の場合、電線の表面を電流が流れる特性がある。表面積が大きいと、電流の流れる部分が多くなるため、平面状のアンテナと比較して高性能となる。
【００１８】
ループアンテナ１は、サイズや形状が変化しない固定ループ状であっても、サイズや形状が変化するものであってもよい。また導線は、単線やより線の他、１本線や電線を螺旋状に巻いた伸縮電線を使用することもでき、より柔軟な変形が可能である。ただし、共振が保てる範囲に変形範囲や伸縮範囲を規制する必要がある。
ループアンテナ１に柔軟な変形可能な伸縮電線等の使用が可能な理由として、螺旋状に巻かれた導線は、伸長によりインダクタンスが増大するとともにキャパシタンスが減少するため、ループアンテナ１が変形した際の導線の伸長に起因する共振周波数の変動が抑制される。また、収縮によりインダクタンスが減少するとともにキャパシタンスが増大するため、ループアンテナ１が変形した際の導線の収縮に起因する共振周波数の変動も抑制される。すなわち、ループアンテナ１の変形時にも安定してＩＣタグ３から情報を読み取ることができる。
ＩＣタグ３の通信エリアを広げるには、使用するＩＣタグ３のサイズや、タグリーダ４のアンテナサイズ、タグリーダ４の出力等によって異なるが、ループアンテナ１の導線の長さや形状と、周波数調整部２で共振周波数を調整することで、所望サイズの通信エリアまで広げることが可能である。
【００１９】
また、ループアンテナ１は、アンテナと周波数調整部２で構成され、導線は線状であってもプリント基板であっても、そのアンテナに合った調整を周波数調整部２に加えることで使用ができる。また、アンテナと周波数調整部２のみで構成されるため、極めて軽量であり、種々の収納ケースやカードホルダー８等に組み込むことが容易である。
【００２０】
ループアンテナ１は、ＩＣカード５内のＩＣタグ３の周辺に設置することで、ＩＣタグ３の通信エリアを拡張できるため、例えば、ループアンテナ１の円の中心付近にＩＣタグ３を設置してもよいし、またループアンテナ１の円周に添った内側または外側付近にＩＣタグ３を設置してもよい。
例えば、４．５ｃｍ角のＩＣタグ３を、８０ｍＷ出力で直径１０センチ程度のアンテナを有するタグリーダ４で読み取る場合、直径１８センチのループアンテナ１の中心付近にＩＣタグ３を設置しても、ループアンテナ１の外側にＩＣタグ３を設置しても、ほぼ同等の性能で通信エリアを広げることができる。ただし、ループアンテナ１の外側にＩＣタグ３を設置する場合は、ループアンテナ１の円周に沿って配置するとより高精度で読み取りが可能となる。
また例えば、直径３ｍｍのＩＣタグ３を８０ｍＷ出力で直径１０センチ程度のアンテナを有するタグリーダ４で読み取る場合、タグリーダ４単体では読み取ることができない。また、ループアンテナ１の中心に直径３ｍｍのＩＣタグ３を設置しても、タグリーダ４単体の場合と同様に読み取ることができない。しかしながら、直径１８センチのループアンテナ１の円周に沿わせて、直径３ｍｍのＩＣタグ３を設置すると、読み取ることが可能になる。具体的には、ループアンテナ１から９センチほど離れた箇所からでも読み取り可能である。このように、ＩＣタグ３のサイズとループアンテナ１の径の差が大きい場合、ＩＣタグ３はループアンテナ１の中心付近ではなく、円周に沿わせた位置に設置することで高精度な読み取りが可能になる。この場合、ＩＣタグ３は円周の外側でも内側であっても、性能に大きな差は発生しない。
これは、ループアンテナ１の径とＩＣタグ３のサイズ（径）の差が大きい場合、ＩＣタグ３をループアンテナ１の中心に配置すると、小さいＩＣタグ３は磁束の影響を受ける範囲が小さく、ループアンテナ１の磁束と絡むことができない。しかし、ＩＣタグ３をループアンテナ１の円周に沿って配置すると、磁束の影響を受ける範囲が小さくとも、ループアンテナ１の磁束と絡み、電磁誘導が起こるからである。
【００２１】
ＩＣタグ３とタグリーダ４とループアンテナ１は、図２（ｂ）に示すように、ＩＣタグ３とタグリーダ４アンテナとの間に、電磁結合させた複数のループアンテナ１を配置する構成でもよい。
【００２２】
図３は、カードサイズのシート状体１１に線状のループアンテナ１を使用した場合の、ＩＣカード５の通信エリアを拡大させる一例である。具体的には、縦１０センチ横６．５センチ角のシートの周縁部に線状のループアンテナ１を組み込んだカードと、縦８．５センチ横５．５センチ角のＩＣカード５をパスケース６に重ねた状態で収納する。重ねた状態とは、ループアンテナ１を組み込んだパスケース６にＩＣカード５を収納する場合と同様に、ループアンテナ１の内側にＩＣカード５が収まる状態とする。
交通機関の自動改札に設置されているタグリーダ４で読み取る場合、ＩＣカード５の通信エリアを、ループアンテナ１を使用しない状態であればタグリーダ４から７ｃｍほどの通信エリアから、１４ｃｍほどの通信エリアまで拡大させることが可能である。
【００２３】
図４は、ループアンテナ１を埋め込んだカードの一実施例である。
このカードは、乗車ＩＣカード５等と同じサイズか、それより若干大きいサイズのカードであって、その周縁部分にループアンテナ１が埋め込まれている。ループアンテナ１は、好ましくは、乗車ＩＣカード５よりも数ミリであっても大きい方が良い。
ループアンテナ１を埋め込むカードのカード素材は、電磁遮蔽を起こさない非金属素材、例えば合成樹脂や紙が好ましいが、皮や布であってもかまわない。
ループアンテナ１が埋め込まれたカードは、図５で示すように乗車ＩＣカード５等を収納するパスケース６等に、ＩＣカード５と一緒に入れて使用することで、通信エリアを広げ、タグリーダ４の読み取り範囲から外れることによる通信エラーの発生を抑えることができる。
【００２４】
また、ループアンテナ１が埋め込まれたカードは、図６で示すようにＩＤカード７等を収納するカードホルダー８等に一緒に入れて使用することで、通信エリアを広げ、タグリーダ４の読み取り範囲から外れることによる通信エラーの発生を抑えることができる。
【００２５】
図７は、パスケース６自体にループアンテナ１を組み込んだ一実施形態である。このパスケース６の周縁部分には、ループアンテナ１が埋め込まれ、このパスケース６に乗車ＩＣカード５等を収納して使用する。この場合のパスケース６は、そこに収納される乗車ＩＣカード５より数ミリ程度大きいサイズとなるため、通信エリアを拡大することができる。
パスケース６の素材は、電磁遮蔽を起こさない素材であれば何でもよく、例えば樹脂製が好ましいが、皮や布、または紙等でもかまわない。
ループアンテナ１を組み込んだパスケース６は、乗車ＩＣカード５等を入れて使用することで、乗車ＩＣカード５通信エリアを広げ、タグリーダ４の読み取り範囲から外れることによる通信エラーの発生を抑えることが可能になる。
【００２６】
図８は、ループアンテナ１が組み込まれたカードホルダー８の一実施例である。
ＩＤカード７等を収納するカードホルダー８の周縁部分にループアンテナ１が組み込まれている。カードホルダー８に組み込まれたループアンテナ１の大きさは、前述の乗車ＩＣカード５を収納するパスケース６と同様に、ＩＤカード７より数ミリ以上大きいサイズとなるため、ループアンテナ１はＩＤカード７より数ミリ程度大きいサイズとすることが可能である。大きさは限定しないが、ＩＤカード７より数ミリ程度でも大きい方が望ましい。
カードホルダー８の素材は、電磁遮蔽を生じさせない素材であれば使用可能で、樹脂が好ましいが、皮や布、または紙等でもかまわない。
ループアンテナ１が組み込まれたカードホルダー８は、ＩＤカード７等を入れて使用することで、ＩＤカード７の通信エリアを広げ、タグリーダ４の読み取り範囲から外れることによる通信エラーの発生を抑えることができる。
【００２７】
図９（ａ）と図９（ｂ）は、カードホルダー８のストラップにループアンテナ１を組み込んだ場合の使用例である。
図９（ａ）に示すように、ＩＤカード７等を収納して使用するカードホルダー８の周縁部分と、カードホルダー８のストラップにループアンテナ１が組み込まれている。カードホルダー８のストラップ部分に組み込まれるループアンテナ１と、ＩＤカード７を収納するカードホルダー８に組み込まれているループアンテナ１は、１つのループ状のアンテナであってもよいし、また、各ループアンテナ１が有線で結合されていてもよいし、電磁結合された状態であってもよい。
また、図９（ｂ）に示すように、カードホルダー８のストラップにループアンテナ１が組み込まれたカードホルダー８に、ループアンテナ１を埋め込んだカードを収納して使用することも可能である。この場合は、ループアンテナ１を埋め込んだカードとストラップのループアンテナ１が電磁結合された状態で使用する。
また、カードホルダー８のストラップの素材は、電磁遮蔽を生じさせない素材であれば使用可能で、樹脂が好ましいが、皮や布、または紙等でもかまわない。また、伸縮電線をストラップとして使用してもよい。
ストラップにループアンテナ１を組み込んだカードホルダー８は、ストラップ部分のループアンテナ１の径が、ＩＤカード７を収納するカードホルダー８のサイズより大きくなるため、カードホルダー８の周縁部分にループアンテナ１を設置しただけの場合と比較して、通信エリアをさらに広げることが可能になる。
【実施例１】
【００２８】
図１０は、ループアンテナ１を組み込んだパスケース６に駅の自動改札等で使用する乗車ＩＣカード５を収納して使用する場合の実施例である。また、ループアンテナ１が埋め込まれたカードと、乗車ＩＣカード５を重ねてパスケース６に収納する場合も同様である。
ループアンテナ１が組み込まれたパスケース６に、乗車ＩＣカード５を収納して一緒に使用すると、パスケース６を自動改札のタグリーダ４にタッチせずに、かざすだけで通過することが容易になる。ループアンテナ１が組み込まれていないパスケース６を使用する場合よりも乗車ＩＣカード５の通信エリアが広がり、タッチしなくても通信エラーの発生を減少させ、安定して通信することが可能になるからである。
ループアンテナ１が埋め込まれたカードと乗車ＩＣカード５をパスケース６に収納して使用する場合、ＩＣカード５とループアンテナ１の面が平行に配置されていれば、パスケース６のどの位置に入れて使用してもかまわない。自動改札のタグリーダ４にかざして使用する場合、図１２のようにタグリーダ４と乗車ＩＣカード５の間に、ループアンテナ１を埋め込んだシート状体１１が配置されるのが好ましいが、パスケース６に入れて使用するのであれば、この配置に限定されない。
このように、ループアンテナ１が組み込まれたパスケース６を使用したり、またループアンテナ１が埋め込まれたカードをパスケース６に入れて使用したりすることで、例えば感染症対策等で、接触を避けた行動が望まれる場合でも、パスケース６を自動改札のタグリーダ４にかざすだけで安定して読み取りが可能で、直接をタッチせず自動改札を通過することが容易になる。
【実施例２】
【００２９】
図１１は、入口のドア等に設置される入退室管理システム等に使用するＩＣタグ３が組み込まれたＩＤカード７を収納するカードホルダー８に、ループアンテナ１が埋め込まれたカードを一緒に入れて使用する場合の実施例である。また、ループアンテナ１が組み込まれたカードホルダー８やループアンテナ１が組み込まれたストラップを使用する場合も同様である。
通常、首から下げたカードホルダー８を手に取って、ドアに設置されたタグリーダ４にカードホルダー８をタッチして読み取らせる場合が多い。それは、カードホルダー８の通信エリアがタグリーダ４の読み取り範囲が外れると通信エラーが発生することがあり、エラーを発生させず確実に読み取らせるために、直接タッチして読み取らせているからである。
ループアンテナ１が埋め込まれたカードを、ＩＤカード７を収納するカードホルダー８に入れて一緒に使用すると、カードホルダー８をタグリーダ４にタッチせず、近距離でかざすだけで読み取らせることが可能になる。これにより、ＩＤカード７を１枚で使用する場合よりも通信エリアが広がり、タッチしなくても通信エラーの発生を減少させ、安定して通信することが可能になる。
ループアンテナ１が埋め込まれたカードは、乗車ＩＣカード５をパスケース６に収納する場合と同様に、ループアンテナ１とＩＣカード５の各面が平行に配置されていれば、カードホルダー８のどの位置に入れてあってもよい。タグリーダ４にかざして使用する場合、図１２のようにタグリーダ４とＩＤカード７の間に、ループアンテナ１を埋め込んだシート状体１１が配置されるのが好ましいが、カードホルダー８に入れて使用するのであれば、この配置に限定されない。
このように、ループアンテナ１を、ＩＤカード７を収納するカードホルダー８に入れて使用することで、乗車ＩＣカード５の場合と同様に感染症対策でタッチ等の接触を避けた行動が望まれる場合でも、直接タッチせずとも通信エラーを軽減し、カードホルダー８をタグリーダ４に近づけるだけで読み取らせることが可能になる。
【実施例３】
【００３０】
図１４と図１６は、ループアンテナ１が組み込まれた折り畳み可能な折り畳みシート９をバッグ１０内で広げて使用する場合の実施例である。
図１３に示すように、折り畳みシート９の周縁部分にループアンテナ１を組み込む。これを、通勤等に使用するバッグ１０内に広げて入れておくことにより、バックに乗車ＩＣカード５を入れたまま、バッグ１０を自動改札等のタグリーダ４にかざして使用することが可能なる。
また、図１５で示すように、折り畳みシート９内に複数のループアンテナ１を組み込んで、バッグ１０内で広げて使用することも可能である。折り畳みシート９内の複数のループアンテナ１は非接触かつ電磁結合された状態であってよいし、有線で結合されていてもよい。
このように、折り畳みシート９内に複数のループアンテナ１を組み込んだ場合は、折りたたんだ状態であっても使用することが可能であるが、広げて使用する場合と比較して通信エリアはせまくなる。
この場合のループアンテナ１は、伸縮電線を用いることで柔軟な折り畳み仕様が可能となる。シートの素材は、非金属製の折りたたみやすい素材であればよく、布やナイロンなどが好ましいが、これに限定はされない。
折りたたみ可能な折り畳みシート９は、利用しない時はコンパクトに折り畳んでバッグ１０等に収納が可能であり携帯に便利である。
【符号の説明】
【００３１】
１    ループアンテナ
２    周波数調整部
３    ＩＣタグ
４    タグリーダ
５    ＩＣカード
６    パスケース
７    ＩＤカード
８    カードホルダー
９    折り畳みシート
１０  バッグ
１１  シート状体
【図１】
0003226881.tif 000003
【図２】
0003226881.tif 000004
【図３】
0003226881.tif 000005
【図４】
0003226881.tif 000006
【図５】
0003226881.tif 000007
【図６】
0003226881.tif 000008
【図７】
0003226881.tif 000009
【図８】
0003226881.tif 000010
【図９】
0003226881.tif 000011
【図１０】
0003226881.tif 000012
【図１１】
0003226881.tif 000013
【図１２】
0003226881.tif 000014
【図１３】
0003226881.tif 000015
【図１４】
0003226881.tif 000016
【図１５】
0003226881.tif 000017
【図１６】
0003226881.tif 000018